(57)【要約】【課題】少ない使用量で、優れた潤滑性を有するとともに、コンベア表面の湿潤性にも優れるコンベア用潤滑剤組成物およびこれを用いた潤滑方法を提供する。【解決手段】（Ａ）界面活性剤を０．００５〜５重量％、（Ｂ）ポリオールを０．４〜９重量％、（Ｃ）組成物全体で１００重量％となるように水を、含むことを特徴とする、コンベア用潤滑剤組成物を用いる。【選択図】  なし【特許請求の範囲】
【請求項１】
（Ａ）界面活性剤を０．００５〜５重量％、
（Ｂ）ポリオールを０．４〜９重量％、
（Ｃ）組成物全体で１００重量％となるように水を、
含むことを特徴とする、コンベア用潤滑剤組成物。
【請求項２】
界面活性剤が、アニオン界面活性剤、ノニオン界面活性剤、両性界面活性およびカチオン界面活性からなる群から選択される少なくとも１種である、請求項１に記載の組成物。
【請求項３】
アニオン界面活性剤が、脂肪酸、アシルアミノ酸型アニオン界面活性剤、アルキルリン酸エステル、アルキルエーテルカルボン酸およびこれらの塩から成る群から選択される少なくとも１種である、請求項２に記載の組成物。
【請求項４】
ノニオン界面活性剤が、ポリオキシアルキレングリコール、ポリオキシエチレングリコールエステル、ポリオキシエチレンープロピレングリコール共重合体、ソルビタンアルキルエステル、アルキルジエタノールアミド、アルキルモノエタノールアミドおよびポリオキシエチレン・メチルポリシロキサン共重合体からなる群から選択される少なくとも１種である、請求項２に記載の組成物。
【請求項５】
両性界面活性剤が、アルキルアミノカルボン型両性界面活性剤および／またはグリシン型両性界面活性剤である、請求項２に記載の組成物。
【請求項６】
カチオン界面活性剤が、アルキルジアミン、アルキルジメチルアンモニウムクロライド、ジアルキルジメチルアンモニウムクロライドから成る群から選択される少なくとも１である、請求項２に記載の組成物。
【請求項７】
ポリオールが、グリセリン、ポリグリセリン、プロピレングリコール、ポリエチレングリコールおよびソルビトールから成る群から選択される少なくとも１種である、請求項１〜６のいずれかに記載の組成物。
【請求項８】
さらに、
（Ｄ）シリコーン物質を０．０００５〜０．０７重量％、
含むことを特徴とする、請求項１〜７のいずれかに記載の組成物。
【請求項９】
シリコーン物質が、ジメチルポリシロキサン乳化物およびアルキルポリシロキサンから成る群から選択される少なくとも１種である、請求項８に記載の組成物。
【請求項１０】
容器とコンベアとの接触部位を潤滑する方法であって、
請求項１〜９のいずれかに記載のコンベア用潤滑剤組成物を、コンベアの容器接触部位および／または容器のコンベア接触部位に適用することを特徴とする、方法。
【請求項１１】
容器とコンベアとの接触部位を潤滑する方法であって、
０．５〜５０重量％の界面活性剤含む界面活性剤水溶液を、水で希釈する工程、
前記希釈された界面活性剤水溶液にポリオールを添加してコンベア用潤滑剤組成物を調製する工程、
コンベアの容器接触部位および／または容器のコンベア接触部位に前記コンベア用潤滑剤組成物を適用する工程、
を含む方法であって、
前記コンベア用潤滑剤組成物が
（Ａ）界面活性剤を０．００５〜５．０重量％、
（Ｂ）ポリオールを０．４〜９重量％、
（Ｃ）組成物全体で１００重量％となるように水を、
含むことを特徴とする、方法。
【請求項１２】
界面活性剤が、アニオン界面活性剤、ノニオン界面活性剤、両性界面活性およびカチオン界面活性剤からなる群から選択される少なくとも１種である、請求項１１に記載の方法。
【請求項１３】
アニオン界面活性剤が、脂肪酸、アルキルリン酸エステル、アルキルエーテルカルボン酸およびこれらの塩から成る群から選択される少なくとも１種である、請求項１２に記載の方法。
【請求項１４】
ノニオン界面活性剤が、ポリオキシアルキレングリコール、ポリオキシエチレングリコールエステル、ポリオキシエチレンープロピレングリコール共重合体、ソルビタンアルキルエステル、アルキルジエタノールアミド、アルキルモノエタノールアミドおよびポリオキシエチレン・メチルポリシロキサン共重合体からなる群から選択される少なくとも１種である、請求項１２に記載の方法。
【請求項１５】
両性界面活性剤が、アルキルアミノカルボン型両性界面活性剤および／またはグリシン型両性界面活性剤である、請求項１２に記載の方法。
【請求項１６】
カチオン界面活性剤が、アルキルジアミン、アルキルジメチルアンモニウムクロライド、ジアルキルジメチルアンモニウムクロライドから成る群から選択される少なくとも１である、請求項１２に記載の方法。
【請求項１７】
ポリオールが、グリセリン、ポリグリセリン、プロピレングリコール、ポリエチレングリコールおよびソルビトールから成る群から選択される少なくとも１種である、請求項１１〜１６のいずれかに記載の方法。
【請求項１８】
前記コンベア用潤滑剤組成物が、０．０００５〜０．０７重量％のシリコーン物質をさらに含むことを特徴とする、請求項１１〜１７のいずれかに記載の方法。
【請求項１９】
シリコーン物質が、ジメチルポリシロキサン乳化物およびアルキルポリシロキサンから成る群から選択される少なくとも１種である、請求項１８に記載の方法。
【請求項２０】
容器とコンベアとの接触部位１ｍ2あたり、１０〜３００ｍｌのコンベア用潤滑剤組成物を適用することを特徴とする、請求項１０〜１９のいずれかに記載の方法。
【請求項２１】
コンベア用潤滑剤組成物を適用する工程が、コンベアの容器接触部位および／または容器のコンベア接触部位に噴霧することを特徴とする、請求項１０〜２０のいずれかに記載の方法。
【発明の詳細な説明】
【技術分野】
【０００１】
本発明は、ビンや缶、ＰＥＴボトル、紙パック等の各種容器を搬送するための搬送コンベア用潤滑剤組成物に関し、特に、所定量のポリオールを含む界面活性剤水溶液であって、希釈液として使用する水の削減が可能となるコンベア用潤滑剤組成物、又は希釈された界面活性剤水溶液にポリオールを添加してなる使用水の削減が可能となるコンベアの潤滑方法に関する。
【背景技術】
【０００２】
牛乳、ビール、酒、清涼飲料、ジュース、調味料、ソース、各種缶詰、食品等（以下、「飲食料品」という。）、薬品、化粧品および卓上ガスボンベ等における、ビンや缶、ＰＥＴボトル、紙パック等の容器（これらを総称して、以下、「容器等」という。）に充填する工程において、これらの容器を搬送する手段として、多数のコンベアプレートを搬送方向に無端状に連ねた搬送コンベアが広く利用されている。なお、容器等の搬送コンベアは、ボトルコンベアとも称される。
【０００３】
容器の搬送コンベアは、通常、自動制御により連続運転されており、容器を安定して搬送するとともに、容器等の流れが停止したときでもコンベアのみがそのまま連続して運転できるようにする必要がある。このため、洗浄機から運ばれてきた容器等をそのままボトルコンベア表面の流れに乗せる場合には、コンベア表面は静摩擦力を適度に有する方が好ましく、容器等の流れを停止させる場合には、容器等と接触しているコンベア表面は動摩擦力が低い方が好ましい。これら両要求を満たすために、通常、コンベア表面にコンベア用潤滑剤を塗布することが行われてきている。
【０００４】
この種のコンベア用潤滑剤として、従来、脂肪酸とアルカリの反応によって得られる脂肪酸アルカリ塩を主成分とし、これに必要に応じて界面活性剤等を添加してなる脂肪酸石けん潤滑剤が知られている。これは通常、水で１００〜４００倍、あるいはそれ以上に希釈してボトルコンベア表面に塗布または噴霧することにより使用に供されている。また非イオン界面活性剤を主成分とするコンベア用潤滑剤にあっては、水で４００〜８００倍、あるいはそれ以上に希釈してボトルコンベア表面に塗布または噴霧することにより使用に供されている。
【０００５】
搬送コンベアは通常、自動制御により連続運転されるため、コンベア上の容器の流れが停止してもコンベアのみがそのまま連続して運転される場合がある。この場合、容器とコンベアのプレート表面との間に摩擦が生じてモータの負荷を異常に増したり、容器を傷つけたり、容器が倒れて割れたり、傷つく等の不都合が生じるので、この摩擦を低下させる必要がある。
【０００６】
上述の要求を満たす潤滑剤として、従来、水溶性のコンベア用潤滑剤組成物が使用されていた。
【０００７】
例えば、こうした水溶性のコンベア用潤滑剤組成物としては、（１）高級脂肪酸石けんを主体としたコンベア用潤滑剤組成物、（２）アルキルリン酸エステル、ポリオキシエチレンアルキルリン酸エステルのアニオン界面活性剤を主体としたコンベア用潤滑剤組成物などが挙げられる。特許文献１には、（３）脂肪族アルキルアミン類の酢酸塩や塩酸塩を主成分として用いたコンベア用潤滑剤組成物が提案されている。また、特許文献２には、（４）ポリエチレングリコール型非イオン界面活性剤を主体とした潤滑剤、特許文献３には、（５）ポリオキシエチレンアルキルまたはアルケニル酢酸またはその塩を主体とした潤滑剤、特許文献４には、（６）両性界面活性剤（アルキルアミノプロピオン酸、アルキルジアミノエチルグリシン、アルキルベタイン、アルキルイミダゾリニウムベタイン）を主体とした潤滑剤等が提案されている。他方、シリコーン化合物やフッ素化合物を含有する潤滑剤が提案されている。例えば、特許文献５には、（７）配合物全体を基準に１重量％以上のポリシロキサンを含有し、さらに、フッ素化合物及びポリヒドロキシ化合物及び／又はそのエーテル及びエステルから選ぶ１つ以上の成分を含有するポリシロキサンをベースとする滑剤及びその使用が開示され、また、適用システムとしては、適用中に潤滑する表面と直接的に接触することが好ましく、配合物を水で１０，０００〜１００倍に希釈し、噴霧アプリケーターを適用システムとして使用することが開示されている。
【０００８】
以上のような（１）〜（７）の水溶性の潤滑剤は、全て水で希釈して潤滑剤希釈液として使用することを前提として考案されており、コンベアを乾かさないようにするために、例えば、ノズルから連続で噴霧したり、タイマーを使用しても分単位の噴射時間：停止時間の割合が１：１〜１：２程度であり、多量の水を希釈水として使用しているのが現状である。使用方法の例としては、上記（１）〜（６）のコンベア用潤滑剤に対して、可溶化剤、殺菌剤等を配合して、コンベア用潤滑剤原液を調製し、主に希釈装置を使用してこれを２〜１０００倍程度に水で希釈して潤滑剤希釈液として、コンベア上部に設けたノズルから噴霧する方法や、コンベア上面に対して刷毛等により、３０〜３００ｍｌ／分程度の割合で供給する方法がある。
【０００９】
このため、例えば、供給箇所が１００〜２００箇所あるライン規模の飲食料品の製造工場の場合、約１．５〜２０トン／日（８時間稼動）という大量の潤滑剤希釈液が必要となり、使用後の潤滑剤希釈液の水処理には、多額の費用を要していた。また、このような大量使用の場合、１０〜２００ｋｇ／日（８時間稼働）程度のコンベア用潤滑剤を要することになるので、コンベア用潤滑剤の容器形態はケミカルドラムや５００ｋｇ〜１トン容量のコンテナ等と大きくなり、搬送方法や設置・保管場所の問題を生じる場合がある。
【００１０】
このような多量の希釈水の削減のために、水希釈しない、例えば、特許文献６には、ポリオールと活性剤組成物を、  特許文献７には、  脂肪酸・リン酸エステル・アミン＋シリコーン＋水で潤滑する方法、特許文献８には、シリコーンを用いた分散体が透明な潤滑剤組成物が、特許文献９には水混和性シリコーン物質と水混和性潤滑剤と水または親水性希釈剤とを含んでなるコンベアに沿った容器の通路を潤滑する方法が提案されている。
【００１１】
しかし、コンベア用潤滑剤は、３０〜３００ｍｌ／分程度の割合で、コンベア上面はもとより、裏面に対しても充分にコンベア用潤滑剤希釈液がいきわたるように噴霧、あるいは塗布することにより使用されていたために、大量の潤滑剤希釈液を必要とし、その使用後の潤滑剤希釈液の水処理コストが高いため、その改善が求められていた。また、広い保管場所や運送コストの改善された、よりコンパクトな容器形態が求められていた。一方、水希釈しないタイプの潤滑剤は、水の削減は可能だが、コンベアの洗浄性にかけるため、新たにコンベアの洗浄のために、水配管を増設する等の対策が不可欠であった。
【先行技術文献】
【特許文献】
【００１２】
【特許文献１】特公平７−３５５１６号公報
【特許文献２】特開平１０−１５８６８１号公報
【特許文献３】特開２００２−２７５４８３号公報
【特許文献４】特開２００４−３１５６３４号公報
【特許文献５】特表２００３−５２９６２７号公報
【特許文献６】特開２００８−１０６２５３号公報
【特許文献７】特開２０１３−３６０４３号公報
【特許文献８】特表２００４−５１８０１３号公報
【特許文献９】特表２００３−５０７２７０号公報
【発明の概要】
【発明が解決しようとする課題】
【００１３】
本発明の目的は、少ない使用量で、優れた潤滑性を有するとともに、コンベア表面の湿潤性にも優れるコンベア用潤滑剤組成物およびこれを用いた潤滑方法を提供する。
【課題を解決するための手段】
【００１４】
本発明者らは、上記課題を解決するため鋭意検討をおこなった結果、水溶性潤滑剤に、所定の割合のポリオール又は、ポリオールとシリコーンを混合または、添加し、コンベアを充分に濡らす供給時間を確保して、ビン、缶、ＰＥＴボトル、紙パック等の容器等とステンレス、鉄および樹脂（プラスチック）製のコンベアプレートとの摩擦を解消し、しかも潤滑持続性にも優れるコンベア用潤滑剤組成物を開発することに成功した。
【００１５】
即ち、本発明は、（Ａ）界面活性剤を０．００５〜５重量％、
（Ｂ）ポリオールを０．４〜９重量％、
（Ｃ）組成物全体で１００重量％となるように水を、
含むことを特徴とする、コンベア用潤滑剤組成物である。
また、本発明は、界面活性剤が、アニオン界面活性剤、ノニオン界面活性剤、両性界面活性およびカチオン界面活性からなる群から選択される少なくとも１種である、上記の組成物である。
また、本発明は、アニオン界面活性剤が、脂肪酸、アシルアミノ酸型アニオン界面活性剤、アルキルリン酸エステル、アルキルエーテルカルボン酸およびこれらの塩から成る群から選択される少なくとも１種である、上記の組成物である。
また、本発明は、ノニオン界面活性剤が、ポリオキシアルキレングリコール、ポリオキシエチレングリコールエステル、ポリオキシエチレンープロピレングリコール共重合体、ソルビタンアルキルエステル、アルキルジエタノールアミド、アルキルモノエタノールアミドおよびポリオキシエチレン・メチルポリシロキサン共重合体からなる群から選択される少なくとも１種である、上記の組成物である。
また、本発明は、両性界面活性剤が、アルキルアミノカルボン型両性界面活性剤および／またはグリシン型両性界面活性剤である、上記の組成物である。
また、本発明は、カチオン界面活性剤が、アルキルジアミン、アルキルジメチルアンモニウムクロライド、ジアルキルジメチルアンモニウムクロライドから成る群から選択される少なくとも１である、上記の組成物である。
また、本発明は、ポリオールが、グリセリン、ポリグリセリン、プロピレングリコール、ポリエチレングリコールおよびソルビトールから成る群から選択される少なくとも１種である、上記の組成物である。
また、本発明は、さらに、
（Ｄ）シリコーン物質を０．０００５〜０．０７重量％、
含むことを特徴とする、上記の組成物である。
また、本発明は、シリコーン物質が、ジメチルポリシロキサン乳化物およびアルキルポリシロキサンから成る群から選択される少なくとも１種である、上記の組成物である。
また、本発明は、容器とコンベアとの接触部位を潤滑する方法であって、
請求項１〜９のいずれかに記載のコンベア用潤滑剤組成物を、コンベアの容器接触部位および／または容器のコンベア接触部位に適用することを特徴とする、方法である。
また、本発明は、容器とコンベアとの接触部位を潤滑する方法であって、
０．５〜５０重量％の界面活性剤含む界面活性剤水溶液を、水で希釈する工程、
前記希釈された界面活性剤水溶液にポリオールを添加してコンベア用潤滑剤組成物を調製する工程、
コンベアの容器接触部位および／または容器のコンベア接触部位に前記コンベア用潤滑剤組成物を適用する工程、
を含む方法であって、
前記コンベア用潤滑剤組成物が
（Ａ）界面活性剤を０．００５〜５．０重量％、
（Ｂ）ポリオールを０．４〜９重量％、
（Ｃ）組成物全体で１００重量％となるように水を、
含むことを特徴とする、方法である。
また、本発明は、界面活性剤が、アニオン界面活性剤、ノニオン界面活性剤、両性界面活性およびカチオン界面活性剤からなる群から選択される少なくとも１種である、上記の方法である。
また、本発明は、アニオン界面活性剤が、脂肪酸、アルキルリン酸エステル、アルキルエーテルカルボン酸およびこれらの塩から成る群から選択される少なくとも１種である、上記の方法である。
また、本発明は、ノニオン界面活性剤が、ポリオキシアルキレングリコール、ポリオキシエチレングリコールエステル、ポリオキシエチレンープロピレングリコール共重合体、ソルビタンアルキルエステル、アルキルジエタノールアミン、アルキルモノエタノールアミンおよびポリオキシエチレン・メチルポリシロキサン共重合体からなる群から選択される少なくとも１種である、上記の方法である
また、本発明は、両性界面活性剤が、アルキルアミノカルボン型両性界面活性剤および／またはグリシン型両性界面活性剤である、上記の方法である。
また、本発明は、カチオン界面活性剤が、アルキルジアミン、アルキルジメチルアンモニウムクロライド、ジアルキルジメチルアンモニウムクロライドから成る群から選択される少なくとも１である、上記の方法である。
また、本発明は、ポリオールが、グリセリン、ポリグリセリン、プロピレングリコール、ポリエチレングリコールおよびソルビトールから成る群から選択される少なくとも１種である、上記の方法である。
また、本発明は、前記コンベア用潤滑剤組成物が、０．０００５〜０．０７重量％のシリコーン物質をさらに含むことを特徴とする、上記の方法である。
また、本発明は、シリコーン物質が、ジメチルポリシロキサン乳化物およびアルキルポリシロキサンから成る群から選択される少なくとも１種である、上記の方法である。
また、本発明は、容器とコンベアとの接触部位１ｍ2あたり、１０〜３００ｍｌのコンベア用潤滑剤組成物を適用することを特徴とする、上記の方法である。
また、本発明は、コンベア用潤滑剤組成物を適用する工程が、コンベアの容器接触部位および／または容器のコンベア接触部位に噴霧することを特徴とする、上記の方法である。
【発明の効果】
【００１６】
本発明のコンベア用潤滑剤組成物（以下、「潤滑剤組成物」ともいう。）は、少ない使用量で、優れた潤滑性を有するとともに、コンベア表面の湿潤性にも優れる。また、供給時間に比べて、はるかに長い供給停止時間を取ることが可能となる。これにより、水の使用量が激減するとともに、搬送コンベアの潤滑に使用された潤滑剤希釈液による排水量も激減するから、排水の処理作業や排水処理費用の削減となるという利点を有する。さらに、いったんコンベアに適用された組成物は、その後の工程中に外部から不必要な水分が混入した場合でも、充分な潤滑性を維持できる。
【発明を実施するための形態】
【００１７】
つぎに、本発明を実施するための形態を詳細に説明する。
本発明の搬送コンベア用潤滑剤組成物は、牛乳、ビール、酒、清涼飲料等の飲食料品、薬品、化粧品等を充填するビン、缶、ＰＥＴボトル、紙パック等の容器の搬送コンベアにおいて、潤滑剤として用いることができる。
【００１８】
本発明のコンベア用潤滑剤組成物は、（Ａ）界面活性剤を０．００５〜５．０重量％、
（Ｂ）ポリオールを０．４〜９重量％、（Ｃ）組成物全体で１００重量％となるように水を、含むことを特徴とするものである。
【００１９】
（Ａ）界面活性剤としては、例えば、アニオン界面活性剤、ノニオン界面活性剤、両性界面活性およびカチオン界面活性剤からなる群から選択される少なくとも１種を挙げることができる。この中でも、アニオン界面活性剤は、スチールコンベア（ＳＵＳコンベア）上のガラス瓶の搬送に好ましく、カチオン界面活性剤およびノニオン界面活性剤は、樹脂コンベア上のペットボトルまたは缶の搬送に好ましい。
【００２０】
アニオン界面活性剤としては、例えば、脂肪酸、アシルアミノ酸型アニオン界面活性剤、アルキルリン酸エステル、アルキルエーテルカルボン酸およびこれらの塩から成る群から選択される少なくとも１種を挙げることができる。
【００２１】
脂肪酸およびその塩としては、例えば、Ｃ１２〜Ｃ１８の飽和又は不飽和脂肪酸およびその塩を挙げることができ、具体的にはトール油脂肪酸、オレイン酸、ヤシ油脂肪酸等があげられる。
【００２２】
アシルアミノ酸型アニオン界面活性剤としては、下記一般式（１）で示されるものを挙げることができる。
Ｒ−ＣＯ−ＮＣＨ2−ＣＨ2ＣＨ2ＣＯＯＭ    （１）
（なお、Ｒは、炭素数３〜２０のアルキル基またはアルケニル基、Ｍは、Ｈ及びアルカリ金属、アミンまたはアルカノールアミンである。）
【００２３】
具体的には、市販のＮ−ラウロイル−Ｎ−メチル−β−アラニンカリウム（製品名：アラノンＡＬＫ／川研ファインケミカル社製）、Ｎ−ミリストイル−Ｎーメチル−β−アラニン（製品名：アラノンＡＭＡ／川研ファインケミカル社製）等を用いることができる。
【００２４】
アルキルリン酸エステルおよびその塩としては、Ｃ８〜Ｃ１８の飽和又は不飽和脂肪酸およびその塩に０〜１０モルのエチレンオキサイドを付加させたアルキルを有するモノからトリエステル構造を有するものを挙げることができ、具体的には、ラウリルモノリン酸エステル（２）ＥＯ（東邦化学社製フォスファノールＭＬ２２０）、オクチルジリン酸エステル等の塩が挙げられる。
【００２５】
アルキルエーテルカルボン酸およびその塩としては、ポリオキシエチレンアルキルエーテル酢酸、ポリオキシエチレンアルケニルエーテル酢酸を挙げることができ、具体的には、ポリオキシエチレン（３）ラウリルエーテル酢酸ナトリウム（三洋化成製ビューライトＬＣＡ）、ポリオキシエチレン（９）オレイルエーテル酢酸（花王社製アキュポＲＯ９０ＶＧ）等が挙げられる。
【００２６】
両性界面活性剤としては、例えば、下記一般式（２）で示されるアルキルアミノカルボン型両性界面活性剤が挙げられる。
Ｒ−ＮＨ−（ＣＨ2）ｎＣＯＯＭ    （２）
（なお、Ｒは、炭素数３〜２０のアルキル基またはアルケニル基、ｎは１〜２、Ｍは、Ｈ及びアルカリ金属、アミンまたはアルカノールアミンである。）
【００２７】
上記アルキルアミノカルボン型両性界面活性剤としては、ｎ−ラウロイル−β−アラニン（川研ファインケミカル社製）、ドデシルアミノプロピオン酸ナトリウム塩（製品名：レボンＡＰＬ／三洋化成工業社製）ヤシアルキルアミノプロピオン酸ナトリウム塩（製品名：リポミンＬＡ／ライオン社製）等が挙げられる。
【００２８】
また、他の両性界面活性剤としては、例えば、下記一般式（３）または（４）で示されるグリシン型両性界面活性剤が挙げられる。
Ｒ−（ＮＨＣＨ2ＣＨ2）2ＮＨＣＨ2ＣＯＯＭ    （３）
（Ｒ−ＮＨＣＨ2ＣＨ2）2ＮＣＨ2ＣＯＯＭ    （４）
（なお、ＲはＣ３〜Ｃ２０のアルキル基またはアルケニル基、Ｍは、Ｈ及びアルカリ金属、アミンまたはアルカノールアミンである。）
【００２９】
上記グリシン型両性界面活性剤としては、ナトリウムラウリルジアミノエチルグリシン（製品名：レボンＳ／三洋化成工業社製）、塩酸アルキルポリアミノエチルグリシン（製品名：レボンＵ／三洋化成工業社製）等が挙げられる。
【００３０】
ノニオン界面活性剤としては、下記一般式（５）で表される非イオン系界面活性剤が挙げられ、具体的には、ポリオキシアルキレングリコール、ポリオキシエチレングリコールエステル、ポリオキシエチレンープロピレングリコール共重合体、ソルビタンアルキルエステル、アルキルジエタノールアミド、アルキルモノエタノールアミド、ポリオキシエチレン・メチルポリシロキサン共重合体等が挙げられる。
Ｒ１−Ｏ−（ＡＯ）ｎ−Ｒ２    （５）
（Ｒ１は、Ｃ１０〜２０の直鎖または分岐のアルキル基、スチレン化フェニル基またはＣ９〜１９のアシル基。ＡＯはアルキレンオキサイド基。ｎ＝３〜１００。Ｒ２は、水素、
Ｃ１〜３の直鎖または分岐のアルキル基、またはアシル基；−ＣＯ−Ｒ３であり、このと
きＲ３はＣ９〜Ｃ１９の直鎖または分岐のアルキル基又はアルケニル基である。）
【００３１】
より具体的には、ポリオキシエチレン（３０）オレイルエーテル（ＨＬＢ１６．６、日本油脂社製  ノニオンＥ２３０），ポリオキシエチレン（８）ラウリルエーテル（ＨＬＢ１２．１：花王社製エマルゲン１０８）、ポリオキシエチレン（８）セチルエーテル（ＨＬＢ１１．９：日本油脂社製ノニオンＰ−２０８）、ポリオキシエチレン（８．５）トリデシルエーテル（ＨＬＢ１３：日本油脂社製ノニオンＴ−２０８．５）、ポリオキシエチレン（１２）オレイルエーテル（ＨＬＢ１３．３：日本油脂社製ノニオンＥ−２１２）、ポリオキシエチレン（５）ポリオキシプロピレン（９）ラウリルエーテル（東邦化学社製ペポールＡ−０６３８）、ポリオキシエチレン（４）モノラウレート（ＨＬＢ１３．１：日本油脂社製ノニオンＬ−４）、ポリオキシエチレン（６）モノラウレート（ＨＬＢ１３．５：日本油脂社製ノニオンＯ−６）、ポリオキシエチレン（２０）ソルビタンモノラウレート（ＨＬＢ１６．７：ライオン社製レオドールスーパーＴＷ−Ｌ１２０）、ポリオキシエチレン（２０）ソルビタンモノステアレート（ＨＬＢ１４．９：ライオン社製レオドールスーパーＴＷ−Ｓ１２０）、ポリオキシエチレン（６）ソルビタンモノオレエート（ＨＬＢ１０：花王社製エマゾールＯ−１０５Ｒ）、ポリオキシエチレン（５）ポリオキシプロピレングリコール（３０）（ＨＬＢ５．８：三洋化成製ニューポールＰＥ−６１）、ポリオキシエチレン（１０）ポリオキシプロピレングリコール（３０）（ＨＬＢ６．２：三洋化成製ニューポールＰＥ−６２）等が挙げられ、ポリオキシエチレン・メチルポリシロキサン共重合体型非イオン界面活性剤としては、ポリオキシエチレン・メチルポリシロキサン共重合体（ＨＬＢ９：日本エマルジョン社製ＥＭＡＬＥＸ  ＳＳ−５６０２）等が挙げられる。
【００３２】
カチオン界面活性剤としては、アルキルジアミンおよびその塩を挙げることができ、より具体的には、ココナットプロピレンジアミン（ライオン社製デュオミンＣＤ）、オレイルプロピレンジアミン（日本油脂社製ニッサンアミンＤＯＢ−Ｒ）、ポリオキシエチレン（２）ドデシルアミン（日本油脂社製ナイミーンＬ−２０２）、ポリオキシエチレン（１０）オレイルアミン（日本油脂社製ナイミーンＯ−２１０）、ポリオキシエチレン（１）オクチルアミン（日本油脂社製ナイミーンＣ−２０１）等が挙げられ、その塩としては、酢酸、アジピン酸、塩酸、グリコール酸、乳酸、クエン酸等が挙げられる。
【００３３】
また、他のカチオン界面活性剤としては、アルキルジメチルアンモニウムクロライド（三洋化成社製  カチオンＧ５０）、または、ジデシルジメチルアンモニウムクロライド（ロンザ社製  バーダック２２８０）などのジアルキルジメチルアンモニウムクロライド等を挙げることができる。
【００３４】
本潤滑剤組成物に用いられる（Ａ）界面活性剤の量としては、組成物全体に対し、０．００５〜５重量％である。０．００５重量％未満では、充分な潤滑性が得られず、５重量％を超えると、経済的観点から好ましくない場合がある。
【００３５】
（Ｂ）本潤滑剤組成物に用いられるポリオールとしては、グリセリン、ポリグリセリン、プロピレングリコール、ポリエチレングリコール及びソルビトール等が挙げられる。ポリグリセリンの付加モル数としては、通常２〜１５であり、好ましくは、２〜１０であり、より好ましくは、２ 〜５である。また、ポリエチレングリコールの付加モル数としては、通常３〜４００、好ましくは３〜５０、より好ましくは４〜４０、最も好ましくは４〜１２のものを挙げることができる。
【００３６】
本潤滑性組成物に用いられる（Ｂ）ポリオールの量としては、組成物全体に対し、０．４〜９重量％である。０．４重量％未満では、充分な潤滑性が得られず、９重量％を超えると、経済的観点から好ましくない場合がある。
【００３７】
（Ｃ）本潤滑剤組成物に用いられる水としては、例えば、純水、イオン交換水、軟水、蒸留水、水道水等が挙げられる。これらは、単独で用いても、２種以上を組み合わせて用いてもよい。なかでも、経済性及び貯蔵安定性の点から、水道水、イオン交換水が好ましく用いられる。なお、「水」は、本組成物を構成する各成分に由来する結晶水や水溶液の形で含まれる水と、その他の外から加えられる水との総和であり、潤滑剤組成物全体が１００質量％となるように配合されるものである。
【００３８】
（Ｄ）本潤滑剤組成物に用いられるシリコーン物質としては、潤滑性を付与できるものであれば特に制限はないが、例えば、ジメチルポリシロキサン乳化物およびアルキルポリシロキサン等を挙げることができる。
【００３９】
本潤滑性組成物に用いられる（Ｄ）シリコーン物質の量としては、組成物全体に対し、０．０００５〜０．０７重量％が好ましい。
【００４０】
さらに、本発明のコンベア用潤滑剤組成物には、必要に応じて、可溶化剤、粘度調整剤、アルコール等の安定化剤、ｐＨ値の調整剤としての酢酸，蟻酸，グリコール酸，乳酸，炭素数２〜８のモノまたはジカルボン酸，炭素数１０のジカルボン酸等の有機酸あるいは無機酸、抗菌剤、カチオン系界面活性剤等の殺菌剤、非イオン系界面活性剤等の洗浄助剤、グリセリン、アルキルジフェニルエーテル、ロジンエトキシレート等のクレージング抑制剤等を任意に含有することもできる。
【００４１】
本発明のコンベア用潤滑剤組成物は、例えば、コンベア上部に設けたノズルから噴霧する方法や、コンベア上面に対して刷毛等により供給することができる。
【００４２】
本発明のコンベア用潤滑剤組成物は、例えば、３０〜３００ｍｌ／分程度の割合で供給することが好ましい。
【００４３】
また、本発明のコンベア用潤滑剤組成物は、例えば、ノズルから１０〜６０秒供給し、５〜９０分停止して供給することもできる。この場合、潤滑剤組成物の使用量を大幅に削減することが可能となる。このため、潤滑剤組成物の配送管理作業及びその費用、並びに潤滑剤組成物の保管場所等も低減される。
【００４４】
本発明の容器とコンベアとの接触部位を潤滑する方法としては、０．５〜５０重量％の界面活性剤含む界面活性剤水溶液を、水で希釈し、希釈された界面活性剤水溶液にポリオールを添加してコンベア用潤滑剤組成物を調製し、コンベアの容器接触部位および／または容器のコンベア接触部位に前記コンベア用潤滑剤組成物を適用することが挙げられ、コンベア用潤滑剤組成物が（Ａ）界面活性剤を０．００５〜５．０重量％、（Ｂ）ポリオールを０．４〜９重量％、（Ｃ）組成物全体で１００重量％となるように水を、含むように調製することとなる。また、コンベア用潤滑剤組成物が、さらに、（Ｄ）シリコーン物質を０．０００５〜０．０７重量％含むように調製することもできる。この場合、比較的高濃度の界面活性剤溶液を流通、搬入し、作業現場で希釈、調製することにより、原料となる高濃度の界面活性剤水溶液の輸送コスト、保管コストを削減することができる。
【実施例】
【００４５】
以下、実施例を示して本発明をさらに詳細に説明するが、本発明は、実施例に限定されるものではない。
【００４６】
（潤滑性試験）
コンベア装置（山久チェイン社製テストコンベア）を用い、５００ｍｌペットボトル、ビール瓶（大瓶）、２５０ｍｌスチール缶を搬送させた際の動摩擦係数（μ）を測定した。
コンベア装置を２４ｍ／ｓで稼働させ、コンベア用潤滑剤組成物を１７〜５０ｍｌ（１０〜３０秒間）、コンベアに噴霧することにより供給した後、供給を止め、１０分間稼働させたときの動摩擦係数を測定した。
なお、動摩擦係数の測定は、株式会社ミネベア製のロードセルＬＢＰ１−１０Ｋ−Ｅにより行った。
なお、動摩擦係数（μ）は、以下のように定義される。
動摩擦係数（μ）＝ロードセルの引っ張り重量（ｇ）／供試搬送容器の重量（ｇ）
動摩擦係数が、０．１００未満の場合、すべり性が良く、潤滑性に優れると判断した。
動摩擦係数が、０．１００以上〜０．１４０未満の場合は、潤滑性に問題はなく、十分使用に耐えると判断した。
動摩擦係数が、０．１４０以上の場合は、すべり性が悪く、潤滑性に劣ると判断した。
【００４７】
（コンベアの濡れ性試験）
上記、潤滑性試験の測定時に、コンベア表面の湿潤性（コンベア用潤滑剤組成物の展延性）を目視で観察し、以下の評価基準に従って判定した。
Ａ：コンベア表面全体がぬれている（展延性良好）
Ｂ：コンベア表面全体がぬれていない（展延性不足）
【００４８】
（耐水性試験）
潤滑性試験の測定後、水を４０ｍｌ／分で１０分間、コンベアに噴霧することにより供給した後の動摩擦係数を測定した。
【００４９】
結果を表１および表２に示す。
【００５０】
【表１】
2015017214.tif 000002
【００５１】
【表２】
2015017214.tif 000003
【００５２】
表１から明らかなように、本発明のコンベア用潤滑剤組成物は、少ない使用量で、優れた潤滑性を有するとともに、コンベア表面の湿潤性にも優れることが分かる。
また、本発明の組成物をいったんコンベアに適用した場合、ウォーマーやクーラーの出口、シュリンクラベラー等、その後の工程中に外部から不必要な水分が混入した場合でも、充分な潤滑性を維持できることがわかる（耐水性試験結果参照）。
【産業上の利用可能性】
【００５３】
本発明のコンベア用潤滑剤組成物は、少ない使用量で、優れた潤滑性を有するとともに、コンベア表面の湿潤性にも優れる。これにより、水の使用量が激減するとともに、搬送コンベアの潤滑に使用された潤滑剤希釈液による排水量も激減するから、排水の処理作業や排水処理費用の削減となるという利点を有する。さらに、いったんコンベアに適用された組成物は、その後の工程中に外部から不必要な水分が混入した場合でも、充分な潤滑性を維持できる。